(57)【特許請求の範囲】
【請求項１】
この先に道路補修のための工事中の工事現場があることを知らせる案内のディスプレイを表示する映像又は画像を投影又は照射する表示装置を、舗装路面に近接して配置された縁石の舗装路面に対して垂直又は略垂直な段差面に、投影レンズ部の上端が舗装路面から２０ｃｍを越えない高さとなるように設置しておき、
水平面に対する上端の投影角度又は照射角度を１５°以下とした状態で、前記映像又は画像を舗装路面に向けて斜め下方に投影又は照射することで、舗装路面にこの先に道路補修のための工事中の工事現場があることを知らせる案内のディスプレイを表示するディスプレイの表示方法。
【請求項２】
前記表示装置は、映像を投影するプロジェクタ装置である請求項１記載のディスプレイの表示方法。
【請求項３】
前記プロジェクタ装置は、投影される画像が矩形状になるように補正可能な構成を備えている請求項２記載のディスプレイの表示方法。
【請求項４】
前記表示装置は、画像をレーザー光により照射するレーザー装置である請求項１記載のディスプレイの表示方法。
【発明の詳細な説明】
【技術分野】
【０００１】
本発明は、舗装路面にディスプレイを表示するディスプレイの表示方法に関する。
【背景技術】
【０００２】
アスファルトコンクリート等の舗装材料によって舗装された、道路、駐車場、広場、遊歩道等の路面（舗装路面）に、例えば注意を促すためのディスプレイや、広告宣伝のためのディスプレイを表示する方法として、一般に、シール材に印刷が施されたものを舗装路面に貼り付ける方法や、ディスプレイを舗装路面に直接ペイントする方法等が採用されているが、これらの方法では、表示したディスプレイを変更したり、消去する作業に多くの時間と手間を要することになる。
【０００３】
一方、表示装置として例えばプロジェクタ装置を用いて、舗装路面に映像を投影することにより、情報を表示する技術が開発されている（例えば、特許文献１参照）。特許文献１の路面プロジェクタ装置では、車道や歩道の路面上に、ディスプレイによる情報として、例えばこの先に工事中の工事現場がある旨の映像を表示することで、看板等を用いることなく、歩行者に注意を喚起できると共に、映像の変更や消去を容易に行うことができるようになっている。
【先行技術文献】
【特許文献】
【０００４】
【特許文献１】特開２００８−３３０７１号公報
【発明の概要】
【発明が解決しようとする課題】
【０００５】
しかしながら、特許文献１の路面プロジェクタ装置では、ポールの上端部や、水平に配置された横梁等に取り付けられて、人の身長よりも高くなっている相当の高さ位置から、斜め下方に向けて映像を路面に投影することで、ディスプレイによる情報を路面に表示しているので、表示装置からの光が歩行中の人の眼に入ることで、眩しさを感じ易くなると共に、周囲に余分な光を漏らすことになる。
【０００６】
本発明は、歩行中の人の眼に眩しさを感じさせることなく、且つ周囲に余分な光を漏らすことなく、舗装された路面（舗装路面）にディスプレイを容易に表示することができると共に、ディスプレイの変更や消去を容易に行うことのできるディスプレイの表示方法を提供することを目的とする。
【課題を解決するための手段】
【０００７】
本発明は、この先に道路補修のための工事中の工事現場があることを知らせる案内のディスプレイを表示する映像又は画像を投影又は照射する表示装置を、舗装路面に近接して配置された縁石の舗装路面に対して垂直又は略垂直な段差面に、投影レンズ部の上端が舗装路面から２０ｃｍを越えない高さとなるように設置しておき、
水平面に対する上端の投影角度又は照射角度を１５°以下とした状態で、前記映像又は画像を舗装路面に向けて斜め下方に投影又は照射することで、舗装路面にこの先に道路補修のための工事中の工事現場があることを知らせる案内のディスプレイを表示するディスプレイの表示方法を提供することにより、上記目的を達成したものである。
【０００８】
そして、本発明のディスプレイの表示方法によれば、前記表示装置が、映像を投影するプロジェクタ装置であることが好ましい。
【０００９】
また、本発明のディスプレイの表示方法によれば、前記プロジェクタ装置が、投影される画像が矩形状になるように補正可能な構成を備えていることが好ましい。
【００１０】
さらに、本発明の情報表示方法によれば、前記表示装置は、画像をレーザー光により照射するレーザー装置であることが好ましい。
【発明の効果】
【００１１】
本発明のディスプレイの表示方法によれば、歩行中の人の眼に眩しさを感じさせることなく、且つ周囲に余分な光を漏らすことなく、舗装路面にこの先に道路補修のための工事中の工事現場があることを知らせる案内のディスプレイを容易に表示することができると共に、ディスプレイの変更や消去を容易に行うことができる。
【図面の簡単な説明】
【００１２】
【図１】本発明の好ましい一実施形態に係るディスプレイの表示方法によって、舗装路面にディスプレイを表示した状態を例示する略示斜視図である。
【図２】図１のＡ−Ａに沿った略示断面図である。
【図３】プロジェクタ装置の構成を説明する機能ブロック図である。
【図４】レーザー装置の構成を説明する機能ブロック図である。
【発明を実施するための形態】
【００１３】
本発明の好ましい一実施形態に係るディスプレイの表示方法は、図１及び図２に示すように、例えば広場に敷設されたアスファルトコンクリート製の道路の舗装路面２０に、ディスプレイ１１として、例えばこの先に道路補修のための工事中の工事現場があることを知らせる案内を、表示するための方法として採用されたものである。本実施形態のディスプレイの表示方法では、案内表示等の各種のディスプレイ１１を、プロジェクションマッピングによる映写技術を使用して、舗装路面２０に表示するようになっており、これによって表示したディスプレイ１１を容易に変更したり消去したりできるようになっていると共に、特に夜間において、歩行中の人の眼に眩しさを感じさせたり、余分な光が周囲に漏れるのを回避したりできるようなっている。
【００１４】
そして、本実施形態のディスプレイの表示方法は、映像又は画像を投影又は照射する表示装置１０を、舗装路面２０に近接して配置された路面付属物２１に、舗装路面２０から２０ｃｍを越えない高さｈで設置しておき、水平面に対する投影角度又は照射角度θを１５°以下とした状態で、映像又は画像を舗装路面２０に向けて斜め下方に投影又は照射することで、舗装路面２０にディスプレイ１１を表示するようになっている。
【００１５】
また、本実施形態では、表示装置１０が設置される路面付属物２１は、縁石となっている。縁石２１は、例えば車道と、歩道や安全地帯との境界線である路肩に沿って敷設される、コンクリート製の石材であり、路肩の部分に、舗装路面２０に対して垂直又は略垂直な、段差面２２を形成している。
【００１６】
さらに、本実施形態では、表示装置１０は、映像を投影するプロジェクタ装置となっている。表示装置であるプロジェクタ装置１０は、本実施形態では、図３に示すように、ＤＬＰ素子３７を用いて画像を投影するＤＬＰ方式のプロジェクタ装置を、好ましく用いることができる。ＤＬＰ方式のプロジェクタ装置１０は、光学系３０と電気回路部３１とを備えている。光学系３０は、光源となるランプ３２、該ランプ３２からの光をＲＧＢの３原色に時分割するカラーホイール３３、リレーレンズ３４、ミラー３５、及び投影レンズ３６等を有している。電気回路部３１は、ランプ３２からの光を時分割した３原色を入射させて投影画像を生成するＤＬＰ素子３７、画像データ入力部４０又はメモリ４１から入力された画像情報を画像信号等に変換処理する画像処理回路３８、及び該画像処理回路３８で変換処理された画像信号に従って、ＤＬＰ素子３７を駆動するＤＬＰ駆動回路３９を有している。
【００１７】
また、ＤＬＰ方式のプロジェクタ装置１０は、投影される画像が矩形状になるように補正可能な構成を備えている。画像が矩形状に投影されるように補正することで、画像の歪みが無くなり、例えば、画像として文字等を表示した場合においても、文字や画像を認識しやすくなる。この補正は、従来のプロジェクタ装置における既成の技術を用いることができる。
【００１８】
ＤＬＰ素子３７は、ＤＭＤ（Digital Micro-mirror Device）を利用した素子であり、画素を構成する微小なマイクロミラー（図示せず）を多数（例えば数十万）ワンチップに集積し、個々のマイクロミラーを制御して光の反射方向を切り替える。そしてこのときに、マイクロミラーを一秒間に数千回の速度で動作させることによって画像を描く。このように、ＤＬＰ方式のプロジェクタ装置１０においては、ＤＬＰ素子３７の一つの画素でＲＧＢの光を制御してカラー映像を生成することができる。
【００１９】
ＤＬＰ素子３７に対しては、３原色に時分割した光を入射させるために、上記のカラーホイール３３が用いられる。カラーホイール３３は、ランプ３２から白色光を色分離するための扇型のＲ，Ｇ，Ｂの色分離フィルタを円盤上に順次配置してなり、これを回転させることにより、入射する光源光を時分割でＲ，Ｇ，Ｂに色分離してそれぞれの単色光を、順次、ＤＬＰ素子３７の表示領域全面に入射させるものである。
【００２０】
画像データ入力部４０は、使用者により画像データが入力される部分である。本実施形態では、図１に示すように、ディスプレイ１１として、例えばこの先に道路補修のための工事中の工事現場があることを知らせる案内が、舗装路面２０に表示されるように、画像データを入力できるようになっている。
【００２１】
なお、本実施形態では、ディスプレイ１１として表示させる画像データを、画像データ入力部４０を介して入力させたが、例えば、無線通信等によって、表示させる画像データをプロジェクタ装置１０に送信することで入力させる構成であっても良い。この場合、送信した画像データは、メモリ４１に保存させることが好ましい。
【００２２】
メモリ４１には、複数の画像データが保存されており、画像データ入力部４０から入力されるデータと組み合わせて使用することができる。例えば、画像データ入力部４０から文字等のデータを入力すると、メモリ４１に予め記憶された画像データが読み出され、読み出された画像データと入力された文字等のデータとから、プロジェクタ装置１０がディスプレイ１１として表示する画像を作成することもできる。
【００２３】
そして、本実施形態では、プロジェクタ装置１０は、図２に示すように、舗装路面２０に近接して配置された路面付属物２１として、道路の路肩に沿って配置された縁石２１の段差面２２に、例えば公知の取り付け金具を用いて取り付けることで、その投影レンズ部１０ａの上端が、舗装路面２０から２０ｃｍを越えない高さｈとして、例えば舗装路面２０から１５ｃｍを越えない高さに配置されるように設置されている。
【００２４】
ここで、表示装置１０であるプロジェクタ装置１０は、投影レンズ部１０ａの上端が、舗装路面２０から２０ｃｍを越えない高さｈに配置されるように設置されていることが好ましく、舗装路面２０から１５ｃｍを越えない高さｈに配置されるように設置されていることがさらに好ましい。これによって、歩行中の人の眼に眩しさを感じさせることなく、且つ周囲に余分な光を漏らすことなく、舗装路面２０にディスプレイ１１を効果的に表示することが可能になる。
【００２５】
また、本実施形態では、プロジェクタ装置１０は、投影レンズ部１０ａから舗装路面２０に向けて斜め下方に投影される映像の上端の投影角度θが、水平面に対して１５°以下の角度として、例えば６°以下の角度となるように設置されている。
【００２６】
ここで、表示装置であるプロジェクタ装置１０は、投影レンズ部１０ａから舗装路面２０に向けて斜め下方に投影される映像の上端の投影角度θが、水平面に対して１５°以下の角度となるように設置されていることが好ましく、水平面に対して６°以下の角度となるように設置されていることがさらに好ましい。これによって、歩行中の人の眼に眩しさを感じさせることなく、且つ周囲に余分な光を漏らすことなく、舗装路面２０にディスプレイ１１を効果的に表示することが可能になる。
【００２７】
そして、上述の構成を備える本実施形態のディスプレイの表示方法によれば、歩行中の人の眼に眩しさを感じさせることなく、且つ周囲に余分な光を漏らすことなく、舗装路面２０にディスプレイ１１を容易に表示することが可能になると共に、ディスプレイ１１の変更や消去を容易に行うことが可能になる。
【００２８】
すなわち、本実施形態のディスプレイの表示方法は、映像を投影する表示装置であるプロジェクタ装置１０から、映像を舗装路面２０に向けて斜め下方に投影することで、舗装路面２０にディスプレイ１１を表示するようになっているので、投影する映像を切り替えたり、投影を遮断したりすることによって、舗装路面２０に投影された画像によるディイスプレイ１１を、容易に変更したり消去したりすることが可能になる。
【００２９】
また、プロジェクタ装置１０を、舗装路面２０に近接して配置された縁石２１に、投影レンズ部１０ａの上端が舗装路面２０から２０ｃｍを越えない高さｈに配置されるように設置しておき、且つ水平面に対する上端の投影角度θを１５°以下とした状態で、映像を舗装路面２０に向けて斜め下方に投影することで、舗装路面２０にディスプレイ１１を表示するようになっているので、上述のように、歩行中の人の眼に眩しさを感じさせることなく、且つ周囲に余分な光を漏らすことなく、舗装路面２０にディスプレイ１１を容易に表示することが可能になる。
【００３０】
また、本実施形態では、表示装置１０として、上述のプロジェクタ装置に代えて、画像をレーザー光により照射するレーザー装置を用いることもできる。表示装置であるレーザー装置１０は、本実施形態では、図４に示すように、画像データ入力部５５やメモリ５６から入力された画像データを画像信号に変換して、レーザー光源５１ｒ，５１ｇ，５１ｂに出力するレーザー制御部５０と、赤（Ｒ）、緑（Ｇ）、青（Ｂ）のレーザービームを照射するレーザー光源５１ｒ，５１ｇ，５１ｂと、レーザー光源５１ｒ，５１ｇ，５１ｂの出力強度を変調する変調器５２ｒ，５２ｇ，５２ｂと、レーザー光源５１ｒ，５１ｇ，５１ｂから出力されたレーザービームを１本に合波するハーフミラー５３ｒ，５３ｇ，５３ｂと、画像によるディスプレイ１１をレーザービームで舗装路面２０に走査する走査部５４とを備えている。
【００３１】
レーザー装置１０は、レーザー光を舗装路面２０に向けて照射することで表示されるディスプレイ１１の外形が矩形状になるように、調整されている。この調整は、従来のレーザー装置に用いられる既成の技術を用いることができる。
【００３２】
レーザー制御部５０は、画像データ入力部５５やメモリ５６から入力された画像データを水平同期信号及び垂直同期信号に変換し、変換した水平同期信号及び垂直同期信号に基づいて、主画像データの書き込み制御や、画像データの書き込み制御や、画像データを１画素単位で変調器５２ｒ，５２ｇ，５２ｂに出力させる制御等を行う。変調器５２ｒ，５２ｇ，５２ｂは、レーザー制御部５０から１画素単位で出力される画像データのＲ、Ｇ、Ｂ成分を用いて、レーザー光源５１ｒ，５１ｇ，５１ｂから順次射出されるＲ、Ｇ、Ｂのレーザーの強度を変調する。レーザー光源５１ｒ，５１ｇ，５１ｂは、例えば、レーザダイオードにより構成され、それぞれ赤（Ｒ）、緑（Ｇ）、青（Ｂ）のレーザービームを照射する。ハーフミラー５３ｒ，５３ｇ，５３ｂは、レーザー光源５１ｒ，５１ｇ，５１ｂから射出されたレーザービームを合波して、１本のレーザービームにする。
【００３３】
走査部５４は、２次元の光スキャナにより構成され、水平同期信号及び垂直同期信号に基づいて、レーザービームを２次元的に走査（ラスター走査）し、舗装路面２０に、画像によるディスプレイ１１を表示する。
【００３４】
画像データ入力部５５は、使用者によって画像データが入力される部分である。表示させるディスプレイ１１の画像データは、使用者が予め直接入力しておくことができる。複数の情報を予め入力しておき、無線通信等によって、表示する画像データを操作することもできる。更に、無線通信等によって、表示させる画像データを、レーザー装置１０に送信して表示させる構成とすることもできる。この場合、送信された画像データをメモリ５６に記憶させておくことが好ましい。
【００３５】
メモリ５６には、複数の画像データが保存されており、画像データ入力部５５から入力されるデータと組み合わせて使用することができる。例えば、画像データ入力部５５から画像データが入力されると、メモリ５６に予め記憶された画像データが読み出され、読み出された画像データと入力された画像データとから、レーザー装置１０がディスプレイ１１として表示する画像を作成することもできる。
【００３６】
表示装置１０としてレーザー装置を用いた場合でも、レーザー装置１０を、舗装路面２０に近接して配置された縁石２１に、２０ｃｍを越えない高さｈに設置しておき、水平面に対する照射角度θを１５°以下とした状態で、画像を舗装路面２０に向けて斜め下方に照射して、舗装路面２０にディスプレイ１１を表示するようにすることによって、表示装置１０としてプロジェクタ装置を用いた場合と同様の作用効果が奏される。
【００３７】
なお、本発明は上記実施形態に限定されることなく種々の変更が可能である。例えば、表示装置は、プロジェクタ装置やレーザー装置である必要は必ずしも無く、映像又は画像を投影又は照射する機能を備える、公知のその他の種々の表示装置を用いることができる。舗装路面に表示されるディスプレイは、画像や映像が動く、動画によるディスプレイとすることもできる。
【符号の説明】
【００３８】
１０  表示装置（プロジェクタ装置、レーザー装置）
１１ａ  投影レンズ部
１１  ディスプレイ
２０  舗装路面
２１  路面付属物（縁石）
２２  段差面
【図１】
0006518624.tif 000002
【図２】
0006518624.tif 000003
【図３】
0006518624.tif 000004
【図４】
0006518624.tif 000005